(57)【要約】  家具引出しユニット（１）であって、２つの相互に重ねられた引出し（１０、２０）を含んでおり、２つの引出し（１０、２０）は、共通の前方パネル（２）または共通の後壁（３）によって、あるいは共通の側壁によって接続されており、２つの引出し（１０、２０）のための２つの延出ガイド（１１、２１）をさらに含んでおり、２つの引出し（１０、２０）のそれぞれには、２つの延出ガイド（１１、２１）のうちの一つのみが関連しており、延出ガイド（１１、２１）は、２つの引出し（１０、２０）のそれぞれ反対側に配置されており、延出ガイド（１１、２１）は、引出し（１０、２０）の下側（１２、２２）に少なくとも部分的に配置されていることを特徴とする。【選択図】図５
2015510799.tif 000002
【特許請求の範囲】
【請求項１】
家具引出しユニット（１）であって、
２つの相互に重ねられた引出し（１０、２０）を備えており、前記２つの引出し（１０、２０）は、共通の前方パネル（２）、共通の後壁（３）または共通の側壁によって接続されており、
前記２つの引出し（１０、２０）のための２つの延出ガイド（１１、２１）を備えており、前記２つの引出し（１０、２０）のそれぞれには、前記２つの延出ガイド（１１、２１）のうちの一つのみがそれぞれ関連しており、前記延出ガイド（１１、２１）は、前記２つの引出し（１０、２０）の反対側に配置されており、
前記延出ガイド（１１、２１）は、前記引出し（１０、２０）の下側（１２、２２）に少なくとも部分的に配置されている、
ことを特徴とする家具引出しユニット。
【請求項２】
前記延出ガイド（１１、２１）は、少なくとも枠体レール（１３、２３）と引出しレール（１４、２４）とをそれぞれ有しており、
前記引出しレール（１４、２４）は、前記引出し（１０、２０）の略下側に配置されている、
ことを特徴とする請求項１記載の家具引出しユニット。
【請求項３】
前記引出しレール（１４、２４）は、前記引出し（１０、２０）の前記下側（１２、２２）で、かつ、引出し幅（４）内に完全に配置されている、
ことを特徴とする請求項２記載の家具引出しユニット。
【請求項４】
取り付け位置の前記引出しレール（１４、２４）は、下方に開いた断面のＵ形状である、
ことを特徴とする請求項２または３記載の家具引出しユニット。
【請求項５】
前記引出し（１０、２０）は、それらの前記下側（１２，２２）に、縦方向凹部（６）をそれぞれ有しており、前記延出ガイド（１１、２１）の前記引出しレール（１４、２４）は、前記引出し（１０、２０）の前記縦方向凹部（６）内に突き出ている、
ことを特徴とする請求項２から４のいずれか１項に記載の家具引出しユニット。
【請求項６】
前記２つの引出し（１０、２０）の前記下側（１２、２２）の前記縦方向凹部（６）は、前記引出し（１０、２０）におけるそれらの位置が同一である、
ことを特徴とする請求項５記載の家具引出しユニット。
【請求項７】
前記２つの引出し（１０、２０）は、共通の前方パネル（２）および共通の後壁（３）によって接続されている、
ことを特徴とする請求項１から６のいずれか１項に記載の家具引出しユニット。
【請求項８】
前記２つの引出し（１０、２０）は、前記共通の前方パネル（２）および前記共通の後壁（３）によってのみ接続されており、
前記上方引出し（１０）の上方引出し側壁（１５）と前記下方引出し（２０）の下方引出し側壁（２５）とは接続されていない、
ことを特徴とする請求項７記載の家具引出しユニット。
【請求項９】
前記２つの引出し（１０、２０）の前記共通の後壁（３）は、前記引出し（１０、２０）の前記延出ガイド（１１、２１）を受領する２つの凹部（１６、２２６）を有している、
ことを特徴とする請求項１から８のいずれか１項に記載の家具引出しユニット。
【請求項１０】
前記延出ガイド（１１、２１）の少なくとも一つ、好適には両方は、前記引出し（１０、２０）をそれらの高さに関して調節するための高さ調節装置（７）を有している、
ことを特徴とする請求項１から９のいずれか１項に記載の家具引出しユニット。
【請求項１１】
家具枠体（９）と、
請求項１から１０のいずれか１項に記載の家具引出しユニット（１）の少なくとも一つと、
有する家具（８）。
【発明の詳細な説明】
【技術分野】
【０００１】
本発明は、請求項１の前文部分の特徴を有する家具引出しユニット、および、家具枠体と少なくとも一つのそのような引出しユニットとを有する家具に関する。
【０００２】
一般的な種類の前述の家具引出しユニットと、これも一般的な種類の前述の家具は、ＥＰ２２４１２２０（２０１０年１０月２０日）の従来技術から知られている。この家具引出しユニットでは、２つの引出し延出ガイドが家具引出しユニットの側部にそれぞれ配置されており、その引出し延出ガイドは、家具引出しユニットの側壁にそれぞれ配置されている。この設計における欠点は、２つの引出し延出ガイドを収容するために、引出しと家具枠体側壁との間に空間を提供することも必要であるため、引出し延出ガイドの家具引出しユニットの側壁への取り付けが、家具引出しユニットの内部スペースを必然的に減少させることである。
【先行技術文献】
【特許文献】
【０００３】
【特許文献１】ＥＰ２２４１２２０
【発明の概要】
【発明が解決しようとする課題】
【０００４】
本発明の目的は、前述の欠点を回避することと、従来技術に勝る家具引出しユニットおよび改良された家具の提供である。
【課題を解決するための手段】
【０００５】
この目的は、請求項１記載の特徴を有する家具引出しユニットと、請求項１１記載の特徴を有する家具によって達成される。
【０００６】
延出ガイドは、引出しの下側に少なくとも部分的に配置されているため、引出し延出ガイドを備えた家具引出しユニットは、引出し延出ガイドが家具引出しユニットの側部に全体的に配置されている従来技術の家具引出しユニットの場合よりも幅が狭い。この結果、家具引出しユニットの引出しは、従来技術の家具引出しユニットの引出しよりも幅が広い構造となることができ、よって、家具枠体の幅は同じままで、スペースの増加を達成することが可能である。
【０００７】
引出し延出ガイドが、引出しの下側に少なくとも部分的に提供されているという事実によって提供される別な利点は、このようにして、２つのそれぞれの延出ガイドを有する単純で商業的に一般的である引出しの場合に標準的に利用されている引出し延出ガイドを使用することが可能となり、製造コストを減少させることが可能となる。
【０００８】
本発明の有利な形態は従属請求項に定義されている。
【０００９】
よって、例えば特に好適には、引出しレールが、引出しの下側で、かつ、引出しの幅内に完全に配置されており、これにより、引出しレールは、引出しの横方向に突き出ず、よって、家具引出しユニット全体を越えて突き出ず、引出し幅は、単に家具枠体の幅によってのみ決定できる。
【００１０】
特に有利な構造的変形例では、２つの引出しが、前方パネルと後壁によってのみ接続されており、上方引出しの上方引出し側壁と下方引出しの下方引出し側壁とは接続されていない。したがってこの形態では、継続した孔部が２つの引出し間に延びており、よってユーザは左側と右側の両側から引出し内にアクセスすることが可能となる。
【００１１】
特許保護は、家具枠体と、解説するような家具引出しユニットとを少なくとも一つ有する家具にも請求される。
【００１２】
本発明の別な詳細と利点については、図面に記載の実施例に関する詳細な説明によって以降でさらに詳説する。
【図面の簡単な説明】
【００１３】
【図１】図１は、２つの引出しを備えた家具引出しユニットを有する家具の斜視図である。
【図２】図２は、家具枠体が切欠け図で示された、家具引出しユニットを有する家具の後方斜視側面図である。
【図３】図３は、家具引出しユニットの斜視図である。
【図４】図４は、図３の家具引出しユニットの斜視図の後斜視図である。
【図５】図５は、家具引出しユニットの断面図を備えた家具の正面図である。
【図６】図６は、図５の詳細図である。
【図７】図７は、図５の別な詳細図である。
【発明を実施するための形態】
【００１４】
図１は、家具８の斜視図である。家具８は、家具枠体９と家具引出しユニット１とを有している。家具引出しユニット１は、特にこの実施例では、２つの引出し１０と２０を有しており、２つの引出し１０と２０は、相互に重ねられた関係で配置されている。２つの引出し１０と２０、または、家具引出しユニット１は、２つの延出ガイド１１と２１によって引き出され、レール延出ガイド１１は、引出し１０の下側に配置されており、レール延出ガイド２１は、引出し２０の下側に配置されている（ここでは図示せず。図２と図５参照）。
【００１５】
家具引出しユニット１の２つの引出し１０と２０は、共通の前方パネル２と共通の後壁３とによって接続されている（図３と図４参照）。
【００１６】
図２は、図１の家具８の後方斜視側面図であり、家具枠体９は切欠図で示されており、家具引出しユニット１の２つの延出ガイド１１と２１を図示している。
【００１７】
この好適実施例では、２つの延出ガイド１１と２１とは、それぞれ、枠体レール１３と２３、中央レール１６と２６、および、引出しレール１４と２４を有している（引出しレール１４と２４は、図５、図６および図７をそれぞれ参照）。
【００１８】
この好適実施例では、２つの延出ガイド１１と２１には、引出し１０と２０をそれらの高さに関して調節するための高さ調節装置７がそれぞれ提供されており、よって家具引出しユニット１を家具枠体８に対してセットすることができる。
【００１９】
図３は、家具引出しユニット１の斜視図である。家具引出しユニット１は、それらの前方パネル２によって、および、それらの後壁３によってのみそれぞれ接続されている２つの引出し１０と２０を有しており、上方引出し１０の上方引出し側壁１５と下方引出し２０の下方引出し側壁２５は、前方パネル２および後壁３を除いて、接続されていない。したがって、家具引出しユニット１の右側側部から左側側部に延びる孔部が提供され、家具引出しユニットのユーザは、２つの引出し１０と２０に、右側と左側の両方から、物品を入れることができ、またはそこから取り出すことができる。したがって、利用が非常に便利になる。
【００２０】
図４は、図３の家具引出しユニット１の後方斜視側面図である。２つの引出し１０と２０の共通の後壁３には、延出ガイド１１と２１（ここでは図示せず。図２参照）を受領する２つの凹部１６と２６が提供されている状態が明示されている。
【００２１】
図５は、家具枠体９と、そこに提供された家具引出しユニット１とを備えた家具８の正面図である。家具引出しユニット１は、相互に重ねられた２つの引出し１０と２０を有しており、２つの引出し１０と２０は、共通の後壁３によって接続されている。さらに、家具引出しユニット１は、２つの引出し１０と２０のための２つの延出ガイド１１と２１を有しており、２つの引出し１０と２０は、それぞれ２つの延出ガイド１１と２１のうちの一つのみに関連しており、延出ガイド１１と２１は、２つの引出し１０と２０の反対側に配置されており、２つの延出ガイド１１と２１は、引出し１０と２０のそれぞれの下側１２と２２に少なくとも部分的に配置されている。
【００２２】
この図では、引出しレール１４と２４が、引出し１０と２０の下側１２と２２に、かつ、２つの引出し１０と２０の引出し幅４内に完全に収容されるように配置されている状態が明示されている。
【００２３】
図６は、図５に示す上方引出し１０とそのレール延出ガイド１１の詳細図である。図７は、図５に示す下方引出し２０とそのレール延出ガイド２１の詳細図である。
【００２４】
これら２つの図６と図７では、延出ガイド１１と１２が、少なくとも一つの枠体レール１３または２３、および、引出しレール１４または２４をそれぞれ有しており、引出しレール１４と２４は、引出しのほぼ下側に配置されている状態が明示されている。この場合には、取り付け位置の引出しレール１４と２４は下方に開いた断面のＵ形状である。さらに、それらの下側１２と２２では、引出し１０と２０は縦方向凹部６をそれぞれ有しており、延出ガイド１１と２１の引出しレール１４と２４は、引出し１０と２０のこれらの縦方向凹部６に突き出ている。これにより、家具引出しユニット１の非常にコンパクトな形態が達成される。
【００２５】
２つの引出し１０と２０の下側１２と２２の縦方向凹部６が、引出し１０と２０におけるそれらの位置に関して同一であることが特に好適である。よって、引出し１０と２０が、家具引出しユニット１の上方位置に提供されるか、下方位置に提供されるかに拘わらず、同一の引出し１０と２０を使用することが可能となる。
【００２６】
図６では、延出ガイド１１が家具枠体の左側に固定され、凹部６へと突き出ている状態が明示されており、図７では、延出ガイド２１が家具枠体の右側に固定され、引出し２０の同一の凹部６に突き出ている状態が明示されている。
【図１】
2015510799.tif 000003
【図２】
2015510799.tif 000004
【図３】
2015510799.tif 000005
【図４】
2015510799.tif 000006
【図５】
2015510799.tif 000007
【図６】
2015510799.tif 000008
【図７】
2015510799.tif 000009
【国際調査報告】
2015510799.tif 000010
2015510799.tif 000011
2015510799.tif 000012
2015510799.tif 000013